(57)【特許請求の範囲】
【請求項１】
カウンタートップに形成されたカウンタートップ開口に落とし込まれ吊持され、バーナを備えたコンロケースと、
周壁の上端部から、外方に張り出したフランジが前記カウンタートップ開口の周縁に当接して支持され、周壁で囲まれた底部には前記バーナが臨む開口を備えると共に、前記バーナの外周部と前記開口との間に第１の間隙が設けられた天板と、
被加熱物を支持する支持体と前記支持体を連結する枠体とから成り、前記天板の内部に沈み込むよう位置付けられたゴトクと、
前記バーナが臨む開口を備えると共に、前記天板の上方で前記天板と上下間隔が存するよう設けられ、前記天板に載置された補助天板とを具備し、
前記補助天板の外周縁において前記天板との間には、前記上下間隔を介して前記第１の間隙に連通する、第２の間隙が設けられており、
前記天板には、前記天板の下方に配設される焼成庫の排気出口が設けられ、
前記補助天板と前記天板との間に設けられる前記第２の間隙のうち、前記排気出口に対応する部位には、前記第２の間隙を設けないようにした、ドロップインコンロ。
【請求項２】
カウンタートップに形成されたカウンタートップ開口に落とし込まれ吊持され、バーナを備えたコンロケースと、
周壁の上端部から、外方に張り出したフランジが前記カウンタートップ開口の周縁に当接して支持され、周壁で囲まれた底部には前記バーナが臨む開口を備えると共に、前記バーナの外周部と前記開口との間に第１の間隙が設けられた天板と、
被加熱物を支持する支持体と前記支持体を連結する枠体とから成り、前記天板の内部に沈み込むよう位置付けられたゴトクと、
前記バーナが臨む開口を備えると共に、前記天板の上方で前記天板と上下間隔が存するよう設けられ、前記天板に載置された補助天板とを具備し、
前記補助天板の外周縁において前記天板との間には、前記上下間隔を介して前記第１の間隙に連通する、第２の間隙が設けられ、
前記補助天板の前記開口と前記バーナの前記外周部との間が実質上閉じられており、
前記ゴトクの枠体は、その下辺と前記天板との間に間隙を存すると共に、前記枠体の外側面と前記天板の周壁との間に間隙を存して前記補助天板の外側に配設され、
前記天板の周壁と前記枠体との間隙と、前記枠体の下辺と前記天板との間隙と、前記第２の間隙と、前記第１の間隙とで通気通路が形成される、ドロップインコンロ。
【請求項３】
カウンタートップに形成されたカウンタートップ開口に落とし込まれ吊持され、バーナを備えたコンロケースと、
周壁の上端部から、外方に張り出したフランジが前記カウンタートップ開口の周縁に当接して支持され、周壁で囲まれた底部には前記バーナが臨む開口を備えると共に、前記バーナの外周部と前記開口との間に第１の間隙が設けられた天板と、
被加熱物を支持する支持体と前記支持体を連結する枠体とから成り、前記天板の内部に沈み込むよう位置付けられたゴトクと、
前記バーナが臨む開口を備えると共に、前記天板の上方で前記天板と上下間隔が存するよう設けられ、前記天板に載置された補助天板とを具備し、
前記補助天板の外周縁において前記天板との間には、前記上下間隔を介して前記第１の間隙に連通する、第２の間隙が設けられており、
前記補助天板の前記開口と前記バーナの前記外周部との間には、前記補助天板の上方空間に連通する一方、前記第１の間隙にも連通する、第３の間隙が設けられており、
前記ゴトクの枠体は、その下辺と前記天板との間に間隙を存すると共に、前記枠体の外側面と前記天板の周壁との間に間隙を存して前記補助天板の外側に配設され、
前記天板の周壁と前記枠体との間隙と、前記枠体の下辺と前記天板との間隙と、前記第２の間隙と、前記第１の間隙とで通気通路が形成される、ドロップインコンロ。
【請求項４】
カウンタートップに形成されたカウンタートップ開口に落とし込まれ吊持され、バーナを備えたコンロケースと、
周壁の上端部から、外方に張り出したフランジが前記カウンタートップ開口の周縁に当接して支持され、周壁で囲まれた底部には前記バーナが臨む開口を備えると共に、前記バーナの外周部と前記開口との間に第１の間隙が設けられた天板と、
被加熱物を支持する支持体と前記支持体を連結する枠体とから成り、前記天板の内部に沈み込むよう位置付けられたゴトクと、
前記バーナが臨む開口を備えると共に、前記天板の上方で前記天板と上下間隔が存するよう設けられ、前記天板に載置された補助天板とを具備し、
前記補助天板の外周縁において前記天板との間には、前記上下間隔を介して前記第１の間隙に連通する、第２の間隙が設けられており、
前記天板の底部及び前記補助天板の底部には、前記天板の下方に配設される焼成庫の排気口がそれぞれ設けられ、
前記補助天板の前記排気口の周縁と前記天板の前記排気口の周縁との上下間隙は、塞がれるようにした、ドロップインコンロ。
【請求項５】
カウンタートップに形成されたカウンタートップ開口に落とし込まれ吊持され、バーナを備えたコンロケースと、
周壁の上端部から、外方に張り出したフランジが前記カウンタートップ開口の周縁に当接して支持され、周壁で囲まれた底部には前記バーナが臨む開口を備え、前記開口と前記バーナの外周部との間は実質上閉じられた天板と、
被加熱物を支持する支持体と前記支持体を連結する枠体とから成り、前記天板の内部に沈み込むよう位置付けられたゴトクと、
前記バーナが臨み、前記バーナの外周部との間に第１の間隙が形成される大きさの開口を備えると共に、前記天板の上方で前記天板と上下間隔が存するよう設けられ、前記天板に載置された補助天板とを具備し、
前記補助天板の外周縁において前記天板との間には、前記上下間隔を介して前記第１の間隙に連通する、第２の間隙が設けられており、
前記天板には、前記天板の下方に配設される焼成庫の排気出口が設けられ、
前記補助天板と前記天板との間に設けられる前記第２間隙のうち、前記排気出口に対応する部位には、前記第２の間隙を設けないようにした、ドロップインコンロ。
【請求項６】
カウンタートップに形成されたカウンタートップ開口に落とし込まれ吊持され、バーナを備えたコンロケースと、
周壁の上端部から、外方に張り出したフランジが前記カウンタートップ開口の周縁に当接して支持され、周壁で囲まれた底部には前記バーナが臨む開口を備え、前記開口と前記バーナの外周部との間は実質上閉じられた天板と、
被加熱物を支持する支持体と前記支持体を連結する枠体とから成り、前記天板の内部に沈み込むよう位置付けられたゴトクと、
前記バーナが臨み、前記バーナの外周部との間に第１の間隙が形成される大きさの開口を備えると共に、前記天板の上方で前記天板と上下間隔が存するよう設けられ、前記天板に載置された補助天板とを具備し、
前記補助天板の外周縁において前記天板との間には、前記上下間隔を介して前記第１の間隙に連通する、第２の間隙が設けられており、
前記天板の底部及び前記補助天板の底部には、前記天板の下方に配設される焼成庫の排気口がそれぞれ設けられ、
前記補助天板の前記排気口の周縁と前記天板の前記排気口の周縁との上下間隙は、塞がれるようにした、ドロップインコンロ。
【発明の詳細な説明】
【０００１】
【発明の属する技術分野】
この発明は、例えばシステムキッチン等のカウンタートップの開口へ組み込まれるドロップインコンロに関する。
【０００２】
【従来の技術】
図１９はシステムキッチンの一部を示す斜視図であり、その本体内部に収容されたドロップインコンロを示す。また図２１はシステムキッチンの長手方向の一部を断面視した、ドロップインコンロの部分断面図である。これらの図においてドロップインコンロは上面にバーナが臨み、正面側に操作つまみｐやグリル扉ｑが設けられている。３基のバーナＣ１〜Ｃ３を内部に備えたコンロケースｅが、カウンタートップａの開口内部に落とし込まれ、その上部のフランジによりカウンタートップａの開口周縁で吊持される。そしてバーナＣ１〜Ｃ３の上半部分のみをカウンタートップａの上方に臨ませ、これらを除きコンロケースｅの開口を被覆する天板ｂが設けられ、コンロケースｅのフランジと同様に、その外周縁ｎでカウンタートップａの開口縁に吊持されて取り付けられる。天板ｂには、バーナＣ１〜Ｃ３のそれぞれ炎孔部に対応する爪片ｇを備えたゴトクｄが載置されている。ゴトクｄは各爪片ｇとそれらを連結支持すると共に天板ｂ上に接触される枠体ｈとが一体に形成されている。また近時では、鍋等の被加熱物をカウンタートップａ面からゴトクｄへの上げ下ろしが容易となるよう、カウンタートップａ面とゴトクｄの爪片ｇとの落差をできるだけ小さく設定される、いわゆるフラット化が行われている。即ち図２２ (a)に示すようにカウンタートップａ面と爪片ｇの上辺との高さＨ１に対し、図２２ (b)のように天板ｂやコンロケースｅを深くして高さＨ２とすることで上記落差を小さくしている。また図２０に示すように高さの低いゴトクｄを用いることで同様に小さくしている。
【０００３】
【発明が解決しようとする課題】
上記のシステムキッチンに収容されるドロップインコンロでは、図１９に示すように、普通のコンロに比べ、これを覆う天板ｂも大きくなる。また図２２ (b)のように上記フラット化によって天板ｂが深くなる。このためこのような天板ｂでは、天板ｂに流下した煮汁等の汚れを清掃するのが煩雑であった。一方、上記構成によれば、上記フラット化に伴い、図２１の二点鎖線で示すように、バーナＣ１から出る炎Ｆの輻射熱により、天板ｂの底部ｉや側壁ｖが加熱されやすくなる。また、コンロケースｅが深く落とし込まれ、天板ｂの下部側でも、バーナＣ１の輻射熱により、内部空間ｊを介してコンロケースｅの内部が加熱される。従って、これらの加熱により、カウンタートップａが過熱する不都合があった。
【０００４】
本発明は、上記問題に鑑みてなされたものであって、天板に流下した煮汁等の汚れを簡便に清掃することができる一方、天板及びこれに連接する部材の温度上昇を抑制しカウンタートップが過熱することを防止することができるドロップインコンロを提供することである。
【０００５】
【課題を解決するための手段】
上記課題を解決するための請求項１記載のドロップインコンロは、
『カウンタートップに形成されたカウンタートップ開口に落とし込まれ吊持され、バーナを備えたコンロケースと、
周壁の上端部から、外方に張り出したフランジが前記カウンタートップ開口の周縁に当接して支持され、周壁で囲まれた底部には前記バーナが臨む開口を備えると共に、前記バーナの外周部と前記開口との間に第１の間隙が設けられた天板と、
被加熱物を支持する支持体と前記支持体を連結する枠体とから成り、前記天板の内部に沈み込むよう位置付けられたゴトクと、
前記バーナが臨む開口を備えると共に、前記天板の上方で前記天板と上下間隔が存するよう設けられ、前記天板に載置された補助天板とを具備し、
前記補助天板の外周縁において前記天板との間には、前記上下間隔を介して前記第１の間隙に連通する、第２の間隙が設けられており、
前記天板には、前記天板の下方に配設される焼成庫の排気出口が設けられ、
前記補助天板と前記天板との間に設けられる前記第２の間隙のうち、前記排気出口に対応する部位には、前記第２の間隙を設けないようにした』ことを特徴とする。
【０００６】
この解決手段によれば、天板の上方に補助天板が設けられたため、被加熱物から流下した煮汁等は、この補助天板により受け止められる。これにより天板が煮汁等で直接に汚れることが防止される一方、汚れた補助天板は、天板から取り外すことができるから、丸洗いなどができ清掃が容易となる。
補助天板は、天板の上方で天板と上下間隔をもって設けられたため、この上下間隔による間隙で断熱され、バーナの炎による輻射熱が天板側に到達することが抑制される。そして、補助天板の外周縁における天板との間には、第２間隙が設けられたから、カウンタートップ側へ連通する通気孔とされ、これにより、コンロケースの内部の空気は、主として次の通気通路即ち、天板とバーナの外周部との間隙即ち第１の間隙を通り、天板と補助天板との間隙を経て、第２の間隙からカウンタートップ側へ流れる空気の通路となる。この空気の流通により天板が冷却され、上記補助天板による断熱に加えて、より一層に天板の温度上昇が抑制される。また上記空気の流通により、天板に連設する部材等も冷却され、これらが総じてカウンタートップの過熱を防止することができる。
又、本発明によれば、焼成庫用の排気出口の上方に、鍋等の被加熱物が載置されても、補助天板と天板との間に第２の間隙が無いため、焼成庫からの排気は、補助天板と天板との間隙に入り込むことが阻止される。
上記課題を解決するための請求項２記載のドロップインコンロは、
『カウンタートップに形成されたカウンタートップ開口に落とし込まれ吊持され、バーナを備えたコンロケースと、
周壁の上端部から、外方に張り出したフランジが前記カウンタートップ開口の周縁に当接して支持され、周壁で囲まれた底部には前記バーナが臨む開口を備えると共に、前記バーナの外周部と前記開口との間に第１の間隙が設けられた天板と、
被加熱物を支持する支持体と前記支持体を連結する枠体とから成り、前記天板の内部に沈み込むよう位置付けられたゴトクと、
前記バーナが臨む開口を備えると共に、前記天板の上方で前記天板と上下間隔が存するよう設けられ、前記天板に載置された補助天板とを具備し、
前記補助天板の外周縁において前記天板との間には、前記上下間隔を介して前記第１の間隙に連通する、第２の間隙が設けられ、
前記補助天板の前記開口と前記バーナの前記外周部との間が実質上閉じられており、
前記ゴトクの枠体は、その下辺と前記天板との間に間隙を存すると共に、前記枠体の外側面と前記天板の周壁との間に間隙を存して前記補助天板の外側に配設され、
前記天板の周壁と前記枠体との間隙と、前記枠体の下辺と前記天板との間隙と、前記第２の間隙と、前記第１の間隙とで通気通路が形成される』ことを特徴とする。
この解決手段によれば、既述請求項１と同様、天板の上に補助天板が設けられているから、天板が煮汁等で直接に汚れることが防止される一方、汚れた補助天板は丸洗いなどができ清掃が容易となる。又、補助天板と天板の上下間隙による断熱作用により、バーナの輻射熱が天板側に到達することが抑制される。更に、コンロケースの内部の空気は、請求項１の発明と同様の経路で流れて天板やこれ連設する部材等が冷却されてカウンタートップの過熱を防止することができる。
【０００７】
又、請求項２の解決手段によれば、補助天板の開口とバーナの外周部との間が実質上閉じられたため、より一層に、流下した煮汁が補助天板の開口とバーナの外周部との間を通って天板側へ侵入することが防止される。そしてバーナの炎による輻射熱による天板の影響も少なくなる上、コンロケースの内部の空気は、第１の間隙から、天板と補助天板との間隙を経て、第２の間隙へ通じる通気通路が形成されるから、天板及びこれに連設する部材の温度上昇が抑制され、カウンタートップの加熱を防止することができる。
尚、補助天板の開口とバーナの外周部との間の閉塞は、補助天板の開口部自体がバーナの外周部に嵌合して設けられる場合の他、例えば補助天板の開口とバーナの外周部との間において、カバーリングを用いることもできる。即ちカバーリングの内周縁をバーナの外周部に外嵌させる一方、外周縁で補助天板の開口を被覆するようにするものである。
更に、上記請求項２の解決手段によれば、ゴトクの枠体がその下辺と天板との間に間隙を存するよう設けられる一方、ゴトクの枠体の外側面と天板の周壁との間に間隙を存して補助天板の外側に配設されている。
これによりゴトクの枠体はバーナから天板の周壁に向う輻射熱を遮熱して天板の過熱を抑制することができる。
そして天板の周壁と前記枠体との間隙と、前記枠体の下辺と前記天板との間隙と、前記第２の間隙と、前記第１の間隙とが一連となる通気通路が形成されるから、この通気により天板及び連設部材が冷却される。従って、より一層カウンタートップの過熱が防止される。
【０００８】
上記課題を解決するための請求項３記載のドロップインコンロは、
『カウンタートップに形成されたカウンタートップ開口に落とし込まれ吊持され、バーナを備えたコンロケースと、
周壁の上端部から、外方に張り出したフランジが前記カウンタートップ開口の周縁に当接して支持され、周壁で囲まれた底部には前記バーナが臨む開口を備えると共に、前記バーナの外周部と前記開口との間に第１の間隙が設けられた天板と、
被加熱物を支持する支持体と前記支持体を連結する枠体とから成り、前記天板の内部に沈み込むよう位置付けられたゴトクと、
前記バーナが臨む開口を備えると共に、前記天板の上方で前記天板と上下間隔が存するよう設けられ、前記天板に載置された補助天板とを具備し、
前記補助天板の外周縁において前記天板との間には、前記上下間隔を介して前記第１の間隙に連通する、第２の間隙が設けられており、
前記補助天板の前記開口と前記バーナの前記外周部との間には、前記補助天板の上方空間に連通する一方、前記第１の間隙にも連通する、第３の間隙が設けられており、
前記ゴトクの枠体は、その下辺と前記天板との間に間隙を存すると共に、前記枠体の外側面と前記天板の周壁との間に間隙を存して前記補助天板の外側に配設され、
前記天板の周壁と前記枠体との間隙と、前記枠体の下辺と前記天板との間隙と、前記第２の間隙と、前記第１の間隙とで通気通路が形成される』ことを特徴とする。
請求項３の解決手段によれば、既述請求項１と同様、天板の上に補助天板が設けられているから、天板が煮汁等で直接に汚れることが防止される一方、汚れた補助天板は丸洗いなどができ清掃が容易となる。又、補助天板と天板の上下間隙による断熱作用により、バーナの輻射熱が天板側に到達することが抑制される。更に、コンロケースの内部の空気は、請求項１の発明と同様の経路で流れて天板やこれに連設する部材等が冷却されてカウンタートップの過熱を防止することができる。
又、請求項３の解決手段によれば、補助天板の開口とバーナの外周部との間に第３の間隙を設けたから、コンロケースの内部の空気は、上記したように第１間隙から、天板と補助天板との間隙を経て、第２の間隙からカウンタートップ側へ通じる通気通路に加え、第１間隙からこの第３の間隙を経て補助天板の上方空間に通じる通気通路が形成される。これにより、バーナの炎孔側への通気が促進され、良好な燃焼が得られる。
【０００９】
尚、この第３の間隙は、次のような構成で設けることができる。例えば補助天板の開口とバーナの外周部との間にカバーリングを用い、このカバーリングの内周縁をバーナの外周部に外嵌させる一方、外周縁で補助天板の開口を被覆するようにする。そしてこのカバーリングにおいて、天板の開口より外周位置に前記第３の間隙に対応した貫通孔を穿設する。このような構成によれば、第３の間隙により上記した通気が確保される一方、このカバーリングが天板の開口とバーナの外周部との間を被覆して流下した煮汁がコンロケース内へ侵入することが可及的に防止できる。
【００１０】
また更に、別のカバーリングとして、カバーリングの内周縁をバーナの外周部に外嵌させる一方、外周縁を補助天板と天板との上下間隙に介在させるようにすることができる。このような構成によれば、前記第３の間隙は、カバーリングの外周縁と補助天板の開口との間で形成される。従ってこの構成の場合でも通気が確保される一方、補助天板とカバーリングの外周縁と天板とがイレコ状となり、煮汁がコンロケース内へ侵入することが防止されると共に、第３の間隙を通って空気はバーナの炎孔側へ導かれる。そしてこのカバーリングに関連して、更にカバーリングの外周縁に、補助天板及び天板のそれぞれの開口よりも大きく形成された大径部を設けると共に、補助天板の開口よりも大きく形成され且つ天板の開口よりも小さく形成された小径部とを設け、この小径部に上方へ延びる壁部を設けるようにすることもできる。こうすることにより、天板の開口とカバーリング外周縁の小径部とで形成される第１の間隙が大きく取れ、通気がより一層に良好となると共に、流下した煮汁が、万一、補助天板の開口とバーナの外周部とによる第３の間隙を通って、カバーリングに落下しても、小径部に設けた壁部によって遮蔽され、第１の間隙に流下することなく、そして壁部で案内されて天板へ確実に導かれる。
上記課題を解決するための請求項４記載のドロップインコンロは、
『カウンタートップに形成されたカウンタートップ開口に落とし込まれ吊持され、バーナを備えたコンロケースと、
周壁の上端部から、外方に張り出したフランジが前記カウンタートップ開口の周縁に当接して支持され、周壁で囲まれた底部には前記バーナが臨む開口を備えると共に、前記バーナの外周部と前記開口との間に第１の間隙が設けられた天板と、
被加熱物を支持する支持体と前記支持体を連結する枠体とから成り、前記天板の内部に沈み込むよう位置付けられたゴトクと、
前記バーナが臨む開口を備えると共に、前記天板の上方で前記天板と上下間隔が存するよう設けられ、前記天板に載置された補助天板とを具備し、
前記補助天板の外周縁において前記天板との間には、前記上下間隔を介して前記第１の間隙に連通する、第２の間隙が設けられており、
前記天板の底部及び前記補助天板の底部には、前記天板の下方に配設される焼成庫の排気口がそれぞれ設けられ、
前記補助天板の前記排気口の周縁と前記天板の前記排気口の周縁との上下間隙は、塞がれるようにした』ことを特徴とする。
この解決手段によれば、既述請求項１と同様、天板の上に補助天板が設けられているから、天板が煮汁等で直接に汚れることが防止される一方、汚れた補助天板は丸洗いなどができ清掃が容易となる。又、補助天板と天板の上下間隙による断熱作用により、バーナの輻射熱が天板側に到達することが抑制される。更に、コンロケースの内部の空気は、請求項１の発明と同様の経路で流れて天板やこれ連設する部材等が冷却されてカウンタートップの過熱を防止することができる。
又、上記請求項４の解決手段によれば、補助天板の排気口の周縁と天板の排気口の周縁との上下間隙が塞がれているから、焼成庫用の排気口の上方に、鍋等の被加熱物が載置されても、焼成庫からの排気は、補助天板と天板との間隙に入り込むことが阻止される。
【００１３】
上記課題を解決するための請求項５記載のドロップインコンロは、
『カウンタートップに形成されたカウンタートップ開口に落とし込まれ吊持され、バーナを備えたコンロケースと、
周壁の上端部から、外方に張り出したフランジが前記カウンタートップ開口の周縁に当接して支持され、周壁で囲まれた底部には前記バーナが臨む開口を備え、前記開口と前記バーナの外周部との間は実質上閉じられた天板と、
被加熱物を支持する支持体と前記支持体を連結する枠体とから成り、前記天板の内部に沈み込むよう位置付けられたゴトクと、
前記バーナが臨み、前記バーナの外周部との間に第１の間隙が形成される大きさの開口を備えると共に、前記天板の上方で前記天板と上下間隔が存するよう設けられ、前記天板に載置された補助天板とを具備し、
前記補助天板の外周縁において前記天板との間には、前記上下間隔を介して前記第１の間隙に連通する、第２の間隙が設けられており、
前記天板には、前記天板の下方に配設される焼成庫の排気出口が設けられ、
前記補助天板と前記天板との間に設けられる前記第２間隙のうち、前記排気出口に対応する部位には、前記第２の間隙を設けないようにした』ことを特徴とする。
【００１４】
この解決手段によれば、天板の上方に補助天板が設けられたから、被加熱物から流下した煮汁等を、この補助天板により受け止めることができ、天板が煮汁等で直接に汚れることが防止される。また汚れた補助天板は、天板から取り外すことができるから、丸洗いなどができ清掃が容易となる。
補助天板は、天板の上方で天板と上下間隔をもって設けられたため、この上下間隔による間隙で断熱され、バーナの炎による輻射熱が天板側に到達することが抑制される。そして、第１の間隙と第２の間隙が設けられたから、天板と補助天板との上下間隙をはさみ、カウンタートップ側とバーナの炎孔部側とが通気する通気通路が形成され、この通気通路の空気の流れにより天板が冷却される。これにより、天板に連設する部材等も冷却され、これらが総じてカウンタートップの過熱を防止することができる。
【００１５】
又、請求項５の解決手段によれば、焼成庫用の排気出口の上方に、鍋等の被加熱物が載置されても、この排気出口に対応する補助天板と天板との間に第２の間隙が無いため、焼成庫からの排気は、補助天板と天板との間隙に入り込むことが阻止される。
上記課題を解決するための請求項６記載のドロップインコンロは、
『カウンタートップに形成されたカウンタートップ開口に落とし込まれ吊持され、バーナを備えたコンロケースと、
周壁の上端部から、外方に張り出したフランジが前記カウンタートップ開口の周縁に当接して支持され、周壁で囲まれた底部には前記バーナが臨む開口を備え、前記開口と前記バーナの外周部との間は実質上閉じられた天板と、
被加熱物を支持する支持体と前記支持体を連結する枠体とから成り、前記天板の内部に沈み込むよう位置付けられたゴトクと、
前記バーナが臨み、前記バーナの外周部との間に第１の間隙が形成される大きさの開口を備えると共に、前記天板の上方で前記天板と上下間隔が存するよう設けられ、前記天板に載置された補助天板とを具備し、
前記補助天板の外周縁において前記天板との間には、前記上下間隔を介して前記第１の間隙に連通する、第２の間隙が設けられており、
前記天板の底部及び前記補助天板の底部には、前記天板の下方に配設される焼成庫の排気口がそれぞれ設けられ、
前記補助天板の前記排気口の周縁と前記天板の前記排気口の周縁との上下間隙は、塞がれるようにした』ことを特徴とする。
このものでは、上記請求項４の解決手段と同様、補助天板の排気口の周縁と天板の排気口の周縁との上下間隙が塞がれているから、焼成庫用の排気口の上方に、鍋等の被加熱物が載置されても、焼成庫からの排気は、補助天板と天板との間隙に入り込むことが阻止される。
【００１８】
【発明の効果】
以上説明したように、請求項１〜６記載の発明によれば、補助天板により天板が煮汁等で直接に汚れることが防止され、補助天板自体の清掃も容易となる。また補助天板は、天板への断熱を図る一方、通気通路の通気により天板の温度上昇が抑制され、カウンタートップの過熱を防止することができる。
請求項１記載の発明によれば、ドロップインコンロに焼成庫の排気出口が設けられ、補助天板と天板との間で設けられる第２間隙のうち、この排気出口に沿って設けられる部位には設けないようにした。これにより、焼成庫用の排気出口を塞ぐように鍋等を載置しても、補助天板と天板との上下間隔に、この燃焼排気が入り込むことが防止される。
請求項２，３記載の発明によれば、ゴトクの枠体がその下辺と天板との間に間隙を存するよう設けられる一方、ゴトクの枠体の外側面と天板の周壁との間に間隙を存して補助天板の外側に配設するようにしたから、請求項１記載の発明に比べ、より一層にカウンタートップの過熱を防止することができる。
請求項２記載の発明によれば、補助天板とバーナの外周部との間を実質上閉じたから、請求項１記載の発明に比べ、煮汁などがコンロケース内へ侵入することが防止される。
請求項３記載の発明によれば、補助天板の開口とバーナの外周部との間に第３の間隙を設けたから、請求項１記載の発明に比べ、通気通路が新たに形成され、バーナの燃焼も良好となる。
【００１９】
請求項４，６記載の発明によれば、補助天板の排気口の周縁と天板の排気口の周縁との上下間隙が塞がれているから、焼成庫用の排気口の上方に、鍋等の被加熱物が載置されても、焼成庫からの排気は、補助天板と天板との間隙に入り込むことが阻止される。
請求項５記載の発明によれば、ドロップインコンロに焼成庫の排気口が設けられ、補助天板と天板との間で設けられる第２間隙のうち、この排気口に沿って設けられる部位には設けないようにした。これにより、焼成庫の排気口を塞ぐように鍋等を載置しても、補助天板と天板との上下間隔に、この燃焼排気が入り込むことが防止される。
【００２０】
【発明の実施の形態】
以下、添付の図面を参照しつつ、本発明のドロップインコンロについて詳述する。図１は本発明のドロップインコンロの全体を示す斜視図であり、図１８に示すようなシステムキッチンに組み込まれる。図２はそのようなシステムキッチンに組み込まれた状態のドロップインコンロを前面の操作部側から見た正面図である。図３は図１のドロップインコンロの組み立て状態を示す分解斜視図である。
また図９は本発明のドロップインコンロの前面操作部から反操作側に至る横断断面図であり、図の向って左側が前面操作部１０側である。更に図１０は、図９における前面操作部側を示した拡大断面図であり、図１１は同様に図９における反操作部側を示した拡大断面図である。なお、図１にはシステムキッチンに組み込まれる際に、前面操作部側に取り付ける図３に示したフィラー９が省略されている。
【００２１】
本発明のドロップインコンロは、内部に三基のバーナ６１，６２，６３を備えるコンロ本体１が最下部に位置付けられ、その上部方向へ順次、吊下げ枠体２、天板３、補助天板４及びゴトク５を備えた構成とし、そして上記バーナ６１，６２，６３の火口を上向きとしてカウンタートップ７の上面に臨ませるようにした。尚、コンロ本体１と吊下げ枠体２とでコンロケース１００を構成する。またコンロ本体１の前面操作部１０側には、これらバーナの点火及び調整等を行う各ツマミ８１〜８４が設けられ、その中央部にはグリル部８５のグリル扉８５ａが設けられている。本発明のドロップインコンロは、カウンタートップに穿設された開口内部へ落とし込まれて保持されるが、その取付状態は、図１０に示すように吊下げ枠体２の上端に張り出した鍔部２２が、パッキン２８を介してカウンタートップ７の開口縁部に当接され、これによりカウンタートップ７に対して吊持される。その際、吊下げ枠体２とコンロ本体１とは、予め連結されており、図９に示すように、吊下げ枠体２の下辺部２３とコンロ本体１の上辺部１１とが、両者を着脱自在に固定ならしめるネジ９９ａ，９９ｂにより連結されている。
【００２２】
吊下げ枠体２の上部に保持される天板３は、吊下げ枠体２と同じように、上端に張り出した鍔部３１が、パッキン２８を介してカウンタートップ７の開口縁部に当接され、同様に吊持ちされている。図４はこの天板の部分平面図であり、主としてドロップインコンロの向って左側を示している。また図５は、図４の天板の断面図であり、うち (a)はＸＸ−ＸＸ断面を示し、 (b)はＹＹ−ＹＹ断面を示している。図に示すように、天板３は略方形の鍋状を成し、その底部３６には、バーナ６１，６２，６３のそれぞれ対応部位において円形の開口をなす孔部３４，３５が穿設されると共に、グリル部８５からの排気をカウンタートップ７上方へ排出させるための方形状の開口、即ち孔部（排気口）３６ｂが穿設されている。孔部３４，３５のそれぞれ内周縁部は僅かに上方へ起き上がるよう隆起状に形成されている。天板開口を規定する周壁３２は、底部３６を包囲状として一体に形成され、外方上方に向けて拡大開口するよう傾斜状に設けられている。その開口上端に、前述した外周方向へ張り出す鍔部３１が設けられている。天板３がカウンタートップ７の開口縁部に吊持されることにより、カウンタートップ７の上面に臨むバーナ６１，６２，６３の部位及びグリル部８５の排気口３６ｂ及びその両側の開口３６ａ，３６ｃを除き、実質的にカウンタートップ７の開口が被覆される。天板３の周壁３２に設けられた段部３８は、後述する補助天板４の載置部であり、また周壁３２に設けられた段部３９は、後述するゴトク５の載置部とされる。
【００２３】
尚、ゴトクは図例のような載置部に載置する他に、爪片５１ａ，５２ａの外端を枠体５１ｆ，５２ｆより大きく突出させ、この突出部を天板３の周壁３２の段部や鍔部３１に載置させることにより、枠体下辺を底部３６から浮かせて吊持させるようにすることもできる。
天板３の上面には、補助天板４とゴトク５が載置される。先ず補助天板４は、天板３の周壁３２の内部側に位置付けられると共に、天板３上面に所定間隔をもって載置される。図６に、この補助天板４を示す。図は、中央部に補助天板４の部分平面図を示し、その向って左側に左側面図、右側にＸ−Ｘ断面図そして下側にＹ−Ｙ断面図を示している。補助天板４の底部４２は、天板３と同様に、バーナ６１，６２，６３の対応部位に孔部４３，４４が設けられ、それぞれ内周縁部は僅かに上方に起き上がるよう隆起状に形成されている。補助天板４の外周縁は、底部４２を取り囲むよう隆起して形成され、その内部側に傾斜状の周壁４７が形成される一方、外部側に鉛直状の外縁垂下壁４８が形成されている。周壁４７は、補助天板４が外方上方に向けて拡大開口するよう傾斜状に形成される。そして周壁４７と外縁垂下壁４８との上端部に、これらを接続する周壁上辺部４１が一体に設けられている。周壁上辺部４１は、補助天板４の外周縁全域にわたって所定高さに形成され、うち、図３及び図６に示すように、二箇所において他の周壁上辺部４１よりも低く設けられた凹部４５，４５が形成されている。また補助天板４は、天板３の底部３６に対応させて形成されており、図９から図１１に示すように、天板３上に載置されると天板３の底部３６を実質的に被覆する。補助天板４が天板３上面へ載置される状態は、図９から図１１に示すように、補助天板４の外縁垂下壁４８の下端部のみが、天板３の上面に当接し、補助天板４の底部４２と天板３の上面とは所定の間隔となるように載置される。天板３の周壁３２には、平坦状の段部３８が形成され、これにより補助天板４は位置決め載置される。尚、外縁垂下壁４８の下端部には複数の脚４８ｂが形成されていて、これら脚４８ｂ，４８ｂ間に切欠４８ａが形成されていて補助天板４の外周縁において天板３との間に上下間の間隙が形成される。尚この間隙形成は外縁垂下壁４８の下辺が平坦状になっていても外縁垂下壁４８に開口を形成したり、或は載置部３８に部分的に凸部を形成してもよい。
【００２４】
また補助天板４の孔部４３，４４には、それぞれ開口の内周縁部を被覆するリング状のカバーリング７０，７１が取り付けられている。上記補助天板４により、鍋等からの煮汁が天板３側へ流下しても、補助天板４によって受け止められ、天板３へ流下することが阻止される。補助天板４は天板３の上面に載置されているのみであるから、天板３に比べて容易に取り外しができ丸洗い等により清掃が簡単となる。
【００２５】
次に鍋等の被加熱部材を受け止めるゴトク５は、二つのゴトクが天板３上に並列配置され、天板３の周壁３２の内部側に位置付けられ、天板３内部で沈み込むように設けられている。ゴトク５は、図７に示すように、バーナ６１，６２に対応した前側ゴトク５１と、図８に示すように、バーナ６３に対応した後側ゴトク５２とから構成される。なおそれぞれの図において (b)は平面図であり、この平面図の向って下側が前面操作部側を示している。これに対応して (a)は背面（反操作部側）図であり、 (c)は正面（前面操作部側）図を示している。これらのゴトク５１，５２は、天板３から臨むバーナ６１，６２，６３に対応して形成され、バーナ６１，６２，６３を取り囲むようそれぞれ複数配列された爪片（５１ａ，５２ａ）と、これら爪片（５１ａ，５２ａ）をそれぞれ支持する枠体５１ｆ，５２ｆとから構成される。この枠体５１ｆ，５２ｆにより、それぞれのゴトク外形が規定される。また各ゴトク５１，５２には、補強的に中間枠体５１ｇ，５２ｇがそれぞれ枠体５１ｆ，５２ｆに設けられている。
【００２６】
前側ゴトク５１の枠体５１ｆを構成する枠片のうち、図７ (c)に示すように、前面操作部側の枠片には、下辺が切り欠かれた切欠部５１ｅを備え、そして切欠部５１ｅと切欠部５１ｅとの間に、天板３の上面に当接される支持部５１ｄが設けられている。これによりゴトク５１が天板３の上面に載置されると、図９及び図１０に示すように切欠部５１ｅと天板３との間に間隙５１ｈが生成される。尚、図示されていないが、枠体５１ｆの両側の枠片にも同様に切欠部５１ｅ及び支持部５１ｄが設けられている。また枠体５１ｆのうち、図７ (a)に示すように、反操作部側の枠片、即ち隣りの枠体５２ｆと隣接する隣接枠片５１ｆ１では、枠体中央部の５１ｋの部位を除き、上辺が他の上辺部よりも低く形成された低上辺部５１ｊが形成されている。一方、これとは逆に、後側ゴトク５２では、その枠体５２ｆのうち、図８ (c)に示すように前面操作部側の枠片、即ち隣りの枠体５１ｆと隣接する隣接枠片５２ｆ１では、枠体中央部の５２ｋの部位を除き、上辺が他の上辺部よりも低く形成された低上辺部５２ｊが形成されている。ゴトク５１の低上辺部５１ｊとゴトク５２の低上辺部５２ｊのそれぞれの高さは、天板３の上面に載置された状態において、略同一高さに設定されている。そして図８ (a)に示すように、ゴトク５２の枠体５２ｆのうち、反操作部側の枠片において下辺が切り欠かれた切欠部５２ｅが形成され、これら切欠部５２ｅと切欠部５２ｅとの間に、天板３の上面に当接される支持部５２ｄが形成されている。尚、この例では、両側の枠片にこれらは設けていないが、形成してもよい。これにより、ゴトク５２が天板３の載置部３９に載置されると、図９及び図１１に示すように切欠部５２ｅと天板３との間に間隙５２ｈが生成される。これら枠体５１，５２の上記間隙５１ｈ（(ニ）) ，５２ｈ（(ヲ）) は、枠体５１，５２と天板３の周壁３２との間の間隙(ホ) ，(ワ) と共に、カウンタートップ７上部側とバーナ６１，６２，６３側とを通気する通気通路とされる。そして更に、前側ゴトク５１と後側ゴトク５２とが隣接して枠体５１ｆ，５２ｆ同士が重なり合い、これにより天板３の上面において前側ゴトク５１側から後側ゴトク５２側への通気が阻害されようとするが、上記低上辺部５１ｊ，５２ｊの形成により、鍋がゴトク５１，５２に載置されても、低上辺部５１ｊ，５２ｊと鍋底との間に間隙(ヌ) が生成され、両ゴトク５１，５２間で容易に通気がなされる。なお、これら枠体５１ｆ，５２ｆ同士が重なり合う部位には、上記ゴトク低上辺部５１ｊ，５２ｊに加えて、ゴトク枠体５１ｆ，５２ｆの下辺部と天板３の底部３６との間に間隙があるので、同様に両ゴトク５１，５２間の通気を容易にすることができる。尚、上記間隙５１ｈ（(ニ) ），５２ｈ（(ヲ）) は、図例では、枠体側に切欠部５１ｅ，５２ｅを設けて形成されたが、これに代えて、枠体側には切欠部は設けず平坦状とし、図示省略するが、天板３側の載置部３９に複数の凸部を形成し、この凸部と枠体下辺との間で同様の間隙を形成するようにしてもよい。あるいは天板３の底部３６をゴトク５２の載置部としてもよく、この場合も、枠体５１ｆ，５２ｆの下辺に切欠部５１ｅ，５２ｅを形成したり、枠体５１ｆ，５２ｆの下辺を直線状にす��と共にこれを前記底部３６に形成した複数の凸部で支えることにより、上記通気用の間隙を確保してもよい。更に、ゴトクは爪片５１ａ，５２ａの外端を枠体５１ｆ，５２ｆより大きく突出させ、この突出部を天板３の周壁３２の段部や鍔部３１に載置させることにより、枠体下辺を底部３６から浮かせて吊持させ、これにより、上記間隙を形成してもよい。
【００２７】
更に、補助天板４の周壁上辺部４１に設けられた凹部４５，４５には、図３に示すように、その上方において、前側ゴトク５１，後側ゴトク５２が位置付けられ、そしてそれぞれ枠体５１ｆ，５２ｆのうち、相隣り合うゴトクとの隣接枠片５１ｆ１，５２ｆ１が、凹部４５，４５の上を跨ぐように設けられている。これにより、ゴトク５１，５２と補助天板４との接触を回避することができ、ゴトク５１，５２は補助天板４を介さずに直接に天板３の上面に載置できる。もしゴトク５１，５２を補助天板４の上面に載置すると、ゴトク５１，５２自体の加工精度上のバラツキや熱歪みによる変形等の寸法バラツキに加え、補助天板４自体の外形寸法上のバラツキや熱歪みによる変形が加わる。このため、累積誤差が大きくなり、この結果ゴトク５１，５２は天板３上でガタツキが生じやすくなる。しかしながら、上記のようにゴトク５１，５２を天板３上に直接載置させたから、このような不都合を解消できる。このように、掃除等の手入れが容易なようにゴトク５（５１，５２）を分割しても、直接にゴトク５（５１，５２）を天板３に載置できる。そして複数のゴトクの隣接部、即ち枠体５１ｆ，５２ｆの隣接片５１ｆ１，５２ｆ１を、凹部４５，４５の上で跨がせるようにしているため、ゴトクを分割して複数載置する場合に好適であり、ドロップインコンロの大型化に容易に対応することができる一方、ゴトク自体の小型化も図れる。そしてこれに加えて、ゴトクの隣接部を、凹部４５，４５の上で跨がせたから、高さ方向の寸法を小さくすることができ、ドロップインコンロのフラット化を図ることができる。尚、図例では、補助天板４の周壁上辺部４１側に凹部４５，４５を設けたが、これとは逆に、周壁上辺部４１は通常高さのままで、ゴトクの隣接片５１ｆ１，５２ｆ１に、既に別に上記した５１ｅ，５２ｅのような切欠部を設けることもできる。この場合も、高さ方向の寸法を小さくすることができ、ドロップインコンロのフラット化を図ることができる。
【００２８】
本発明のドロップインコンロは、以上のような構成を備え、カウンタートップ７の開口に落とし込まれて組み込まれる。そして組み込みに際し、図２，図３及び図９に示すように、前面操作部１０側において、カウンタートップ７の下部とコンロ本体１の上辺部１１との間で生じた間隙Ｈ３（図９参照）に、フィラー９が介装される。フィラー９は、フィラー部材として、間隙Ｈ３に対応するよう所定高さ（図１８に示すように、深い吊下げ枠体２と浅い吊下げ枠体２０の深さの差ｓ分に略一致する高さ）に形成されると共に、コンロ本体側に開口するよう上辺９２と下辺９３とを備える。フィラー９の取り付けは、上辺９２から内部に延びた舌片９２ａが、吊下げ枠体２の周壁２１に形成された窓２５に挿通されると共に、この窓２５の形成で周壁２１に切り起し形成された折曲片２４へネジ２６により固定される。そしてフィラー９の下辺９３から内部へ延びた先端９３ａがコンロ本体１の上辺部１１と吊下げ枠体２との隙間に差し込まれて固定される。
またフィラー９には、両端部に通気孔９１が設けられ、コンロ本体１の内部側と通気するよう設けられている。
【００２９】
本発明のドロップインコンロは、ワークトップ高さ、即ちゴトク上辺部５１ｂ（５２ｂ）の高さの相違する種々のシステムキッチンに対応できるよう図られ、上述したようにコンロ本体１と吊下げ枠体２とをネジ９９ａ，９９ｂにより着脱自在ならしめるよう連結固定される。これにより、図２２ (a)の高さＨ１のドロップインコンロから図２２ (b)の高さＨ２のドロップインコンロへワークトップ高さを変更し、ドロップインコンロをカウンタートップ７へ落とし込む場合であっても、コンロ本体１やバーナ６１，６２，６３はそのまま共通構成部品として用いることができる。即ち、図１８に示すように、図の右側の縦列に示す高さＨ１のドロップインコンロの構成部品であるゴトク５０，天板３０及び吊下げ枠体２０を、図の左側の縦列に示す本実施例のように、高さＨ２のドロップインコンロのゴトク５，深さの大きい天板３、及び深さの大きい吊下げ枠体２へ置き換えることにより、コンロ本体１やバーナ６１，６２，６３は共通のままでワークトップ高さを変更することができる。そして上記したようにコンロ本体１と吊下げ枠体２０とが、着脱自在に連結固定でき、種々の組み合わせに応じた組み立てが可能となり、例えば上記とは逆の場合の高さＨ２のドロップインコンロから高さＨ１のドロップインコンロへの変更も容易に対応することができる。
【００３０】
また、上記した深さの大きい天板３や吊下げ枠体２に変更すると、図９に示したように前面操作部１０側において、カウンタートップ７の下部とコンロ本体１の上辺部１１との間に間隙Ｈ３が生じ、前面操作部１０側から見て、見栄えを損なう恐れがある。しかしながら、本実施例のように、この間隙寸法に対応した高さのフィラー９を取り付けることにより、大掛かりとならず、しかもドロップインコンロとして何ら見栄えを損なうことがない。そして種々のワークトップ高さに対応する必要上、この間隙Ｈ３が上記組み合わせにより変化しても、それに対応した高さ寸法のフィラー９を取り付けることができ、見栄えを損なうことなく種々の変更に対応できる。
【００３１】
このように、本発明のドロップインコンロは、種々のワークトップ高さに対応できる一方、コンロ本体１及び内部のバーナ６１，６２，６３等の主要構成部品はそのまま使用することができ、部品点数を必要最小限とすることができ、組み立ての煩雑さが解消されると共に部品管理の手間も必要としない。なお、上記ネジ９９ａ，９９ｂに代えて、孔部と係合片とによる係止手段を、吊下げ枠体２とコンロ本体１に設けることができる。図示省略するが、吊下げ枠体２とコンロ本体１のそれぞれ側壁を嵌合してこれら係止手段で止めてもよい。このような種々の係合方法を採用することにより、吊下げ枠体２０とコンロ本体１とを着脱自在に構成することができる。
【００３２】
以下、本発明のドロップインコンロについて、図１０から図１７を用いて更に詳述する。図１０において、バーナ６１はバーナ混合管６１ａと本体部とが一体に設けられ、本体上端部６１ｂには本体内外部を連通する孔部６１ｅが周方向に複数穿設されている。バーナ６１の上部には、バーナキャップ５３が被冠される。バーナキャップ５３は略円盤状に形成され、内部には円柱状の空隙が設けられている。バーナキャップ５３の外周縁５３ａの下側には、櫛歯状の突起が周方向へ複数設けられ、バーナ６１の上端部６１ｂとの間で生成された通路により、バーナ６１の炎孔部５５が形成される。またバーナキャップ５３の上部には、内部空隙と連通する通気孔５５ａが設けられている。バーナ６１の本体部の外周部６１ｃには、リング状のカバーリング７０が外嵌固定され、その外周縁部が補助天板４の孔部４３を被覆するよう載置されている。このカバーリング７０の外嵌により、天板３の孔部３４とバーナ外周部６１ｃとの間隙が、ゴトク５１側から見て閉じられる。尚、カバーリング７０を用いないで、補助天板４の孔部４３をバーナ６１の外周部６１ｃに略密接する大きさとしてもよい。また補助天板４の外縁垂下壁４８には、下側に切り欠かれた切欠部４８ａが形成され、脚４８ｂで天板３の載置部３８に載置されるので、天板３の載置部３８上面とこの切欠部４８ａとの間で間隙(ハ) が生成される。即ち補助天板４の外周縁において天板３との間には間隙が形成され、天板３と補助天板４との間隙及び天板３に形成されたバーナ開口と連通する。尚、この切欠部４８ａは、外縁垂下壁４８の内、前面操作部１０側及び左右両側には形成されているが、反操作部側の排気口３６ｂに対応する部位には形成されていない（図１１参照）。これはグリル部８５の排気口３６ａの上方に鍋を載置したときに、排気が補助天板４と天板３との間に入り込まないようにしたためである。
【００３３】
これによりコンロケース１００の内部空間とカウンタートップ７の上部側との間で、次の通気通路が形成される。即ちコンロケース１００の内部空間から、天板孔部３４とバーナ外周部６１ｃとの間隙(イ) 、補助天板４と天板３の上面との間隙(ロ) 、補助天板４の切欠部４８ａの間隙(ハ) 、及びゴトク５１における枠体５１ｆの下部の間隙５１ｈ(ニ) 、そして天板３の周壁３２とゴトク枠体５１ｆとの間隙(ホ) を経てカウンタートップ７の上部側へ連通する通気通路が形成される。
【００３４】
こうして、バーナ６１の燃焼により、上記通気通路を介してコンロケース１００内の空気がカウンタートップ７側へ排出される。この通気の流れにより、天板３，補助天板４が冷却され、ひいてはカウンタートップ７も冷却される。そして炎孔部から放射される炎の輻射熱により、天板３及びこれに連設する吊下げ枠体２等が加熱されようとするが、補助天板４により天板３側に対して遮熱され、又ゴトク５１，５２の枠体５１ｆ，５２ｆにより天板３の周壁３２も遮熱され、加えて上記通気通路の空気の流通により天板３等が冷却される。このため、天板３及び吊下げ枠体２の温度上昇が抑制され、カウンタートップ７の過熱が防止される。
【００３５】
図１１において、バーナ６３の上部に、バーナキャップ５４が被冠され、炎孔部５６が設けられている。またバーナ混合管６３ａを取り囲むハウジング上部には、これを上方から被覆するカバー６３ｂが設けられ、その外周下端６３ｃにカバーリング７１が載置されている。このカバーリング７１により補助天板４の孔部４４が被覆され、同時に天板３の孔部３５もゴトク５２側から見て閉じられる。また、バーナ６３の下部側には、天板３の下方に配設される焼成庫であるグリル部８５からの排気をカウンタートップ７の上方へ排出案内するためのダクト８７が設けられ、ダクト８７の出口８７ａは天板３の開口３６ｂに臨み、開口３６ｂの上方はゴトク５２が覆っている。そして開口３６ｂ，３６ａ，３６ｃを覆うように網状のガード８８が天板３へ載置されている。
【００３６】
これにより、コンロケース１００の内部空間とカウンタートップ７の上部側との間で、次の通気通路が形成される。即ち、コンロケース１００の内部空間から、カバーリング７１の外周縁部７１ａと補助天板４の周壁４７との間隙(ト) 、ガード８８の上部空間(チ) を経てカウンタートップ７の上部側へ連通する通気通路が形成される。こうして、バーナ６３の燃焼により、上記通気通路を介してコンロケース１００内の空気がカウンタートップ７側へ排出される。この通気の流れにより、天板３，補助天板４が冷却され、ひいてはカウンタートップ７も冷却される。更にこの流れの一部は、カバーリング７１の外周縁部７１ａと補助天板４の周壁４７との間隙(ト) から、カバーリング７１の上部を経てバーナ６３に二次空気として供給が行われてバーナの燃焼が良好に維持される。そして炎孔部から放射される炎の輻射熱により、天板３及びこれに連設する吊下げ枠体２等が加熱されようとするが、補助天板４，枠体５２ｆにより天板３側に対して遮熱され、加えて上記通気通路の空気流通により天板３が冷却される。このため天板３及び吊下げ枠体２の温度上昇が抑制され、カウンタートップ７の過熱が防止される。
またグリル部８５が使用された時、その排気がダクト８７からガード８８を経て、上方へ排出される。しかし仮にダクト８７の出口８７ａの上方のゴトク５２に鍋等が載置され、排気が邪魔されたとしても、次の経路、即ちゴトク５２の間隙５２ｈ(ヲ) から、ゴトク枠体５２ｆと天板周壁３２との間隙(ワ) を経て、カウンタートップ７側へ容易に排出される。
【００３７】
本発明のドロップインコンロでは、こうした各バーナ６１，６２，６３が単独で使用される場合の他、全部が一度に使用され、しかもゴトク５１，５２を覆うように鍋が載置されても、上記した各通気通路により空気の流通が行われる。又前側ゴトク５１と後側ゴトク５２とが隣接して枠体５１ｆ，５２ｆ同士が重なり合う枠片５１ｆ１，５２ｆ１に、低上辺部５１ｊ，５２ｊが形成されたから、鍋がゴトク５１，５２に載置されても、これら低上辺部５１ｊ，５２ｊと鍋底との間に間隙が生成され、両ゴトク５１，５２間で容易に通気がなされる。これにより、コンロケース１００の内部空間からカウンタートップ７の上部へ通気する既述の通気通路と、グリル部８５からカウンタートップ７の反操作部側へ排気される通気通路が形成される一方、図９に示す次の通気通路が形成される。即ちカウンタートップ７の前面操作部側から空気が流入し、天板周壁３２と枠体５１ｆとの間隙(ホ) を経て、間隙５１ｈ(ニ) を通り、補助天板４の上面空間(リ) を通り、枠体５１ｆ，５２ｆ同士が重なり合う低上辺部５１ｊ，５２ｊと鍋底との間隙(ヌ) を通り、（補助天板４の上面空間(ル) を通り、）間隙５２ｈ(ヲ) を通り、そして天板周壁３２と枠体５２ｆとの間隙(ワ) を経て、鍋反操作部側のカウンタートップ７の上部へ排出される。
【００３８】
また本ドロップインコンロでは、図３，図４及び図５などに示すように、天板３の周壁の一部に、天板３の内部側（周壁で囲まれる内部側）が隆起した隆起部３７及びその下端が開口したルーバ孔３７ａが形成されている。これにより、図１６に示すように、コンロケース１００の内部空間と天板３の上部とが連通し、ルーバ孔３７ａが通気孔となる。このため、コンロケース１００の内部空間で加熱された空気が、天板鍔部３１の内部（下部）で滞留することなく容易に外部へ排出され、天板３及び吊下げ枠体２の側壁２１等の温度上昇が抑制され、この場合もカウンタートップ７の過熱が防止される。このように、天板３及びこれに連設した吊下げ枠体２等の部材は、上記した種々の通気通路及び断熱により、温度上昇が抑制され、これによりカウンタートップ７の過熱が防止される。
【００３９】
更に、図１０及び図１１に示すように、ゴトク５１，５２の枠体５１ｆ，５２ｆは、バーナ６１，６３と天板周壁３２との間に位置付けられると共に、バーナ６１，６３からの輻射熱が天板３の周壁３２へ直接に輻射しないよう、その高さが設定されている。これにより枠体５１ｆ，５２ｆが遮熱部材として機能し、上記した天板３の過熱防止を行う上でさらに効果を高めている。
【００４０】
尚、上記のものでは、ゴトク５１が天板周壁３２に最も接近する部分まで横移動しても、補助天板４の切欠部４８ａの間隙(ハ) →ゴトク枠体５１ｆの下部の間隙５１ｈ(ニ) →天板周壁３２とゴトク枠体５１ｆとの間隙(ホ) →カウンタートップ７の上部側と繋がる通気通路が確保できるようにしている。この為、ゴトク５１を載置する天板３の段部３９より上方の周壁３２を上広がり状態に傾斜させると共に、上記段部３９の外周側コーナ部３９０にゴトク５１の枠体５１ｆの下辺が当接するように成っている。従って、枠体５１ｆの下辺が前記コーナ部３９０に当接しても、その上方の枠体５１ｆの外面とこれに対向する天板周壁３２の間に間隙が必ず形成され、これにより、上記通気路が確保できる。更に、ゴトク５１の爪片５１ａの外端部と周壁３２の対向部のうち最も近い部分の水平距離をＬ９とし、枠体５１ｆの外面と前記周壁３２の対向部のうち最も近い部分の水平距離をＬ８とした場合、Ｌ９＜Ｌ８となるようにしてもよい。この場合、図３，図４に示すルーバ孔用の隆起部３７と上記爪片５１ａの外端部が対向するときは、これら隆起部３７と爪片５１ａの外端部との水平距離が前記Ｌ９となり、隆起部３７，３７の中間に上記爪片５１ａが対向している場合は、前記中間部に於ける周壁３２と爪片５１ａの外端部との水平距離がＬ９となる。又、後側ゴトク５２と天板３の関係も上記と同様に構成されている。
【００４１】
次に示す図１２は、図１０の変形例であり別の実施の形態を示し、カバーリング７０に上下方向に貫通する貫通孔７０ａが設けられている。貫通孔７０ａはカバーリング７０の曲折部に周方向へ複数箇所設けられている。これにより、前述の図１０の(イ) ，(ロ) ，(ハ) ，(ニ) ，(ホ) の通気間隙の他に、次のような通気通路、即ちコンロケース１００の内部空間から、バーナ外周部６１ｃと天板孔部３４との間隙(イ) を経て、補助天板４と天板３との間隙(ロ) を通り、貫通孔７０ａから炎孔部５５側に至る通気通路が形成される。前述の通気通路の通気の作用に加えて、この通気により、バーナ６１の二次空気が供給される。尚、カバーリング７０の裏面又は補助天板４の裏面は、前記二次空気を炎孔部５５へ導くガイドとして機能する。
【００４２】
次に示す図１３は別の実施の形態を示し、カバーリング７４はバーナ外周部６１ｃに外嵌されると共に、天板３で受け止められて孔部３４を塞いでいる。これにより、次の通気通路、即ち間隙(ホ) 、間隙(ニ) 、切欠部４８ａ、補助天板４とカバーリング７４との間隙(ヨ) から炎孔部５５に至る通気通路が形成される。この通気により、バーナ６１の二次空気が供給される一方、補助天板４自体による天板３への断熱に加え天板３の冷却が行われ、ひいてはカウンタートップ７への加熱ば防止される。カバーリング７４により図１０や図１２と同様に、煮汁がコンロケース１００内に侵入することが阻止される。尚、天板３の孔部３４をバーナ外周部６１に密嵌する大きさとすればカバーリング７４は無くてもよい。
【００４３】
次に示す図１４は、更に別の実施の形態を示している。カバーリング７２は、円筒状に形成された胴部７２ａに、その上部が放射状に曲折形成され鍔状部７２ｂが一体に形成され、胴部７２ａがバーナ外周部６１ｃに外嵌されると共に、バーナ外周下部６１ｄで受け止められている。鍔上部７２ｂは、補助天板４と天板３との（鉛直方向の）間に設けられると共に、その外径は補助天板４及び天板３のそれぞれ孔部４３，３４の開口よりも大きく形成されている。これにより、先ず次のような通気通路、即ちコンロケース１００の内部空間から、バーナ外周部６１ｃと天板孔部３４との間隙(イ) を経て、鍔状部７２ｂと天板３との間隙(カ) を通り、補助天板４と天板３との間隙(ロ) を通り、そして補助天板４と鍔状部７２ｂとの間隙(ヨ) から炎孔部５５側に至る通気通路が形成される。この通気により、バーナ６１の二次空気が供給される一方、補助天板４自体による天板３への断熱に加えて天板３の冷却が行われ、ひいてはカウンタートップ７への過熱が防止される。鍔状部７２ｂは図１０や図１２と同様に、煮汁等が天板３側侵入することが阻止され、又補助天板４の孔部４３の方がカバーリング７２の鍔状部７２ｂより小さいので、補助天板４の裏面が前記二次空気を炎孔部５５側へ導くガイドとなる。
【００４４】
また上記の通気通路に加えて、間隙(イ) 、間隙(カ) 、間隙(ロ) 、切欠部４８ａ、間隙(ニ) 、間隙(ホ) の通気通路により、カウンタートップ７側との通気がより一層に図れるから、カウンタートップ７の過熱がさらに防止できる。
次に示す図１５は、更に別の実施の形態を示し、図１４におけるカバーリングの変形例を示す。図の (a)は断面を示し、 (b)は補助天板を取り除き上部からカバーリング７３を見下ろした状態を示している。この実施例では、図 (b)に示すように、カバーリング７３を外形が略三角形とし、各辺７３ａ，７３ｂ，７３ｃを上方に曲折して起立状とした。このため、カバーリング７３の各辺７３ａ，７３ｂ，７３ｃと天板孔部３４との間隙が取れると共に、大きく形成でき、この間隙の通気が促進される一方、上記各辺が起立状とされるため、煮汁等がこの間隙からコンロケース１００の内部側へ流下することが阻止される。そして補助天板４の孔部４３の大きさを、各辺７３ａ〜７３ｃよりもバーナ６１の中心との距離より小径とした。この実施例においても、図１４と同様の通気通路が形成され、上記説明したようにカウンタートップ７の過熱が防止される。
【００４５】
図１７は更に他の実施例の形態を示すものである。この補助天板４００も先の例と同じように、外縁垂下壁４８０が載置部３８に置かれて、天板３とは上下間隔を存して天板３の上に置かれる。そして外縁垂下壁４８０には先の例と同じように切欠部４８０ａが形成されていて補助天板４００の外周において天板３と間隔が存するように設けられている。尚、この例でも上記間隙を形成する手段は先の例のように種々の手段が採用できる。この補助天板４００には、焼成庫のダクト８７の出口８７ａが臨む排気出口４１０が形成されている。排気出口４１０の開口縁には、全周に亙って開口縁垂下壁４１１が設けられている。そしてこの下端は天板３の段部３８ｂに当接して孔部３６ｂと排気出口４１１との間を塞いでいる。この例でも先の例と同じように焼成庫からの排気が、補助天板４００と天板３との間に入り込むことが防止される。
【００４６】
以上、本発明のドロップインコンロについて詳述したが、各実施の形態で示した構成は、任意に組み合わせて用いることができ、また本発明の主旨の範囲で設計変更等自由であることは言うまでもない。
【図面の簡単な説明】
【図１】本発明のドロップインコンロの全体斜視図である。
【図２】本発明のドロップインコンロの正面図である。
【図３】本発明のドロップインコンロの分解斜視図である。
【図４】本発明のドロップインコンロに組み込まれる天板の部分平面図である。
【図５】本発明のドロップインコンロに組み込まれる天板の全体断面図である。
【図６】本発明のドロップインコンロに組み込まれる補助天板の部分図である。
【図７】本発明のドロップインコンロに組み込まれる前側ゴトクの全体図である。
【図８】本発明のドロップインコンロに組み込まれる後側ゴトクの全体図である。
【図９】本発明のドロップインコンロの全体断面図である。
【図１０】図９のうち、主としてカウンタートップ正面側を示す部分断面図である。
【図１１】図９のうち、主としてカウンタートップ背面側を示す部分断面図である。
【図１２】本発明のドロップインコンロの別の実施の形態を示し、カウンタートップ正面側の部分拡大断面図である。
【図１３】本発明のドロップインコンロの更に別の変形例を示し、カウンタートップ正面側の部分拡大断面図である。
【図１４】本発明のドロップインコンロの更に別の変形例を示し、カウンタートップ正面側の部分拡大断面図である。
【図１５】本発明のドロップインコンロの更に別の変形例を示し、カウンタートップ正面側の部分拡大断面図である。
【図１６】本発明のドロップインコンロの更に別の変形例を示し、カウンタートップ正面側の部分拡大断面図である。
【図１７】本発明のドロップインコンロの更に別の変形例を示し、カウンタートップ正面側の部分拡大断面図である。
【図１８】本発明のドロップインコンロの組み合わせ例を説明するための分解斜視図である。
【図１９】従来のドロップインコンロが収容されたシステムキッチンの斜視図である。
【図２０】従来のドロップインコンロに用いられるゴトクの全体斜視図である。
【図２１】従来のドロップインコンロの部分断面図である。
【図２２】従来のドロップインコンロのワークトップ高さを説明するための部分断面図である。
【符号の説明】
１・・・コンロ本体
２・・・吊下げ枠体
３・・・天板
４・・・補助天板
５・・・ゴトク
９・・・フィラー
６１，６２，６３・・・バーナ
７０，７１・・・カバーリング
８５・・・グリル部
尚、各図中同一符号は、同一又は相当部分を示す。
【図１】
0003694134.tif 000002
【図２】
0003694134.tif 000003
【図３】
0003694134.tif 000004
【図４】
0003694134.tif 000005
【図５】
0003694134.tif 000006
【図６】
0003694134.tif 000007
【図７】
0003694134.tif 000008
【図８】
0003694134.tif 000009
【図９】
0003694134.tif 000010
【図１０】
0003694134.tif 000011
【図１１】
0003694134.tif 000012
【図１２】
0003694134.tif 000013
【図１３】
0003694134.tif 000014
【図１４】
0003694134.tif 000015
【図１５】
0003694134.tif 000016
【図１６】
0003694134.tif 000017
【図１７】
0003694134.tif 000018
【図１８】
0003694134.tif 000019
【図１９】
0003694134.tif 000020
【図２０】
0003694134.tif 000021
【図２１】
0003694134.tif 000022
【図２２】
0003694134.tif 000023